(57)【要約】【課題】取付部材の下面に突起や開口等があっても接着シートの接着面を平坦な状態にして接着でき、ケース等の他の部品に対する接着性を良好にできる接着シート付き電子部品を提供する。【解決手段】取付部材８０の上面にフレキシブル回路基板７０やキートップ２０等の構成部品を取り付ける一方、取付部材８０の下面に、位置決め用の突起部８２ａ，８２ｂ，８９ａ，８９ｂや、熱カシメされた固定部５３ａ〜５３ｄや、開口部からなる逃げ部８１ａ，８１ｂを設けると共に、それらに対応する切り抜き部９８ａ，９８ｂ，９３ａ，９３ｂ，９４ａ〜９４ｄ，９５ａ，９５ｂ，９６ａ〜９６ｄを形成した両面接着シート９０の一方の接着面９０ａをこの取付部材８０の下面に接着し、他方の接着面９０ｂをこの電子部品を取り付けるケースなどに接着できるように構成した接着シート付き電子部品１である。【選択図】図９
2007141500.tif 000002
【特許請求の範囲】
【請求項１】
取付部材の上面に電子部品の構成部品を取り付けると共に、前記取付部材の下面に、両面が接着面になっている接着シートの一方の接着面を接着した接着シート付き電子部品において、
前記接着シートの所定位置に切り抜き部が形成されていることを特徴とする接着シート付き電子部品。
【請求項２】
請求項１に記載の接着シート付き電子部品において、
前記接着シートの切り抜き部は、前記接着シート付き電子部品を取り付けるケースに対する位置決め用として前記取付部材の下面に設けた突起部に対応して形成されていることを特徴とする接着シート付き電子部品。
【請求項３】
請求項１に記載の接着シート付き電子部品において、
前記接着シートの切り抜き部は、前記電子部品の構成部品を固定するために前記取付部材の下面側に突出した固定部に対応して形成されていることを特徴とする接着シート付き電子部品。
【請求項４】
請求項１に記載の接着シート付き電子部品において、
前記接着シートの切り抜き部は、前記電子部品に設置した可動部品の前記取付部材との接触を防止する逃げ部として前記取付部材に形成された開口部に対応して形成されていることを特徴とする接着シート付き電子部品。
【請求項５】
取付部材の上面に電子部品の構成部品を取り付けると共に、前記取付部材の下面に、両面が接着面になっている接着シートの一方の接着面を接着した接着シート付き電子部品のケースへの取り付け構造であって、
前記取付部材の下面に、前記ケースに対する位置決め用の突起部が設けられると共に、
前記接着シートには、前記突起部に対応する切り抜き部が形成され、前記突起部が前記切り抜き部から前記接着シートの下面側に突出し、
前記切り抜き部から突出した突起部が前記ケースに設けた被係合部に係合して前記電子部品の前記ケースに対する位置決めがなされると共に、前記接着シートの他方の接着面が前記ケースに接着されていることを特徴とする接着シート付き電子部品のケースへの取り付け構造。
【発明の詳細な説明】
【技術分野】
【０００１】
本発明は、取付部材の上面に構成部品を取り付けた電子部品において、その取付部材の下面に両面が接着面になっている接着シートの一方の接着面を接着した接着シート付き電子部品、及びそのケースへの取付構造に関するものである。
【背景技術】
【０００２】
従来、平板状の取付部材の上面にフレキシブル回路基板やキートップ等の構成部品を取り付けてなるスイッチ等の各種の電子部品がある。そして、この種の電子部品の中には、取付部材の下面に、両面が接着面になっている接着シートの一方の接着面を接着した接着シート付き電子部品がある。この接着シート付き電子部品は、接着シートの他方の接着面をこの電子部品を取り付ける電子機器の外装ケース（以下、「ケース」という）に接着することで、ケースへの取り付けができるようになっている。
【発明の開示】
【発明が解決しようとする課題】
【０００３】
ところで、この種の従来の接着シート付き電子部品に用いる接着シートは、開口や切り込み等がない一枚の面状の接着シートであるため、この接着シート付き電子部品をケースに接着する際に、その接着位置がずれてしまうおそれがあった。また、電子部品の構造上、取付部材の下面に突起や開口を設けることがあるが、その場合、開口や切り込みの無い面状の接着シートを貼り付けると、接着シートの接着面が平坦でなくなってしまい、電子部品とケースとの接着強度が弱くなったりガタついたりしてその接着性が悪くなってしまうおそれもあった。
【０００４】
本発明は上述の点に鑑みてなされたものでありその目的は、ケースに接着する際にその接着位置がずれることを防止でき、また取付部材の下面に突起や開口等があっても接着シートを面状に密着させてその接着面を平坦な状態にして接着でき、これらのことからケース等の他の部品に対する接着性を良好にできる接着シート付き電子部品、及びこの接着シート付き電子部品のケースへの取付構造を提供することにある。
【課題を解決するための手段】
【０００５】
本願の請求項１に記載の発明は、取付部材の上面に電子部品の構成部品を取り付けると共に、前記取付部材の下面に、両面が接着面になっている接着シートの一方の接着面を接着した接着シート付き電子部品において、前記接着シートの所定位置に切り抜き部が形成されていることを特徴とする。
【０００６】
本願の請求項２に記載の発明は、請求項１に記載の接着シート付き電子部品において、前記接着シートの切り抜き部は、前記接着シート付き電子部品を取り付けるケースに対する位置決め用として前記取付部材の下面に設けた突起部に対応して形成されていることを特徴とする。
【０００７】
本願の請求項３に記載の発明は、請求項１に記載の接着シート付き電子部品において、前記接着シートの切り抜き部は、前記電子部品の構成部品を固定するために前記取付部材の下面側に突出した固定部に対応して形成されていることを特徴とする。
【０００８】
本願の請求項４に記載の発明は、請求項１に記載の接着シート付き電子部品において、前記接着シートの切り抜き部は、前記電子部品に設置した可動部品の前記取付部材との接触を防止する逃げ部として前記取付部材に形成された開口部に対応して形成されていることを特徴とする。
【０００９】
本願の請求項５に記載の発明は、取付部材の上面に電子部品の構成部品を取り付けると共に、前記取付部材の下面に、両面が接着面になっている接着シートの一方の接着面を接着した接着シート付き電子部品のケースへの取り付け構造であって、前記取付部材の下面に、前記ケースに対する位置決め用の突起部が設けられると共に、前記接着シートには、前記突起部に対応する切り抜き部が形成され、前記突起部が前記切り抜き部から前記接着シートの下面側に突出し、前記切り抜き部から突出した突起部が前記ケースに設けた被係合部に係合して前記電子部品の前記ケースに対する位置決めがなされると共に、前記接着シートの他方の接着面が前記ケースに接着されていることを特徴とする。
【発明の効果】
【００１０】
本願の請求項１に記載の発明によれば、接着シートの所定位置に切り抜き部が形成されているので、取付部材の下面に突起や開口等があっても、その部分に対応させて切り抜き部を設けることで接着シートを取付部材の下面に面状に密着させて貼付できるので、その接着面が平坦になり、電子部品のケース等への接着性を良好にすることができる。
【００１１】
本願の請求項２に記載の発明によれば、接着シートの切り抜き部は、ケースに対する位置決め用として取付部材の下面に設けた突起部に対応して形成されているので、位置決め用の突起部を切り抜き部から接着シートの下面側に突出させることができ、この突起部により電子部品をケースに対して正確な位置に取り付けながら、接着面が平坦な接着シートをケースに貼付でき、電子部品のケースへの接着性を良好にすることができる。
【００１２】
本願の請求項３に記載の発明によれば、接着シートの切り抜き部は、取付部材の下面側に突出した固定部に対応して形成されているので、電子部品の構成部品を固定部によって取付部材に確実に固定できる一方、接着面が平坦な接着シートをケースに貼付でき、電子部品のケースへの接着性を良好にすることができる。
【００１３】
本願の請求項４に記載の発明によれば、接着シートの切り抜き部は、電子部品に設置した可動部品の取付部材との接触を防止する逃げ部として取付部材に形成された開口部に対応して形成されているので、この逃げ部内に侵入した可動部品が接着シートに接着してその動作が阻害されることがなく、同時に、接着面が平坦な接着シートをケースに貼付でき、電子部品のケースへの接着性を良好にすることができる。
【００１４】
本願の請求項５に記載の発明によれば、切り抜き部から接着シートの下面側に突出させた位置決め用の突起部によりケースに対する位置決めができるので、簡単な工程で、電子部品をケースに対して正確な位置に取り付けることが可能となると共に、その正確な位置で、接着シートをケースに面状に密着させて確実に接着できる。
【発明を実施するための最良の形態】
【００１５】
以下、本発明の実施形態を図面に基づいて詳細に説明する。図１乃至図４は、本発明の一実施形態にかかる接着シート付き電子部品（以下、本実施形態では「接着シート付き多方向押圧型スイッチ」という）１を示す分解斜視図であり、図１、図２はその上側と下側の各部品を上方から見た図で、図３、図４はそれらを下方から見た図である。これらの図に示すように接着シート付き多方向押圧型スイッチ１は、取付部材８０の下面に接着シート９０を接着すると共に、取付部材８０の上面にフレキシブル回路基板７０を載置し、第１、第２、第３のキートップ１０，２０，３０を連結部材４０で連結した操作部６０を、フレキシブル回路基板７０の上から固定部材５０によって取付部材８０に取り付けることで、取付部材８０の上面に多方向押圧型スイッチの構成部品を取り付けて構成されている。以下各構成部品について説明する。
【００１６】
操作部６０を構成している第１のキートップ１０は、合成樹脂の成形品で、略平板状で外形が楕円形に形成されると共に、中央に外形の楕円形と長径及び短径の方向が一致する楕円形の開口部１１が設けられて、リング状に形成されている。そして楕円形の長径上の互いに対向する２箇所の上面がそれぞれ指などで押圧操作する操作部１２ａ，１２ｃになっており、短径上の互いに対向する２箇所の上面が、それぞれ指などで押圧操作する操作部１２ｂ，１２ｄになっている。また外周全周の側面には、外側に向かって水平に突出するつば部１３が設けられている。一方、下面の操作部１２ａ〜１２ｄに対向する位置には、それぞれ下方に向かって突出する突起状の押圧部１４ａ〜１４ｄが設けられ、互いに隣接する各押圧部１４ａ〜１４ｄの間には、それぞれ下方に向かって突出する突起状の固定部１５ａ〜１５ｄが設けられている。また、開口部１１の外周の下面側には段部１６が形成されている。また、下面の段部１６の外側の全周を囲む位置であってかつ押圧部１４ａ〜１４ｄ及び固定部１５ａ〜１５ｄの内側の位置には、所定深さの凹部である逃げ部１７が形成されている。
【００１７】
第２のキートップ２０は、合成樹脂の成形品で、略平板状かつリング状でその外形が矩形（長方形）に形成されると共に、その中央に第１のキートップ１０の外形と略同一形状の楕円形の開口部２１が設けられていて、第１のキートップ１０の外側の全周を囲むような形状に形成されている。そしてその上面四隅の近傍位置が、指などで押圧操作する操作部２２ａ〜２２ｄになっている。一方、操作部２２ａ〜２２ｄに対向する下面には、それぞれ下方に向かって突出する突起状の押圧部２４ａ〜２４ｄが設けられ、押圧部２４ａと押圧部２４ｂとの間の押圧部２４ａに近い位置と押圧部２４ｂに近い位置には、それぞれ下方に向かって突出する突起状の固定部２５ａ，２５ｂが設けられ、押圧部２４ｃと押圧部２４ｄとの間の押圧部２４ｃに近い位置と押圧部２４ｄに近い位置には、それぞれ下方に向かって突出する突起状の固定部２５ｃ，２５ｄが設けられている。また押圧部２４ａと押圧部２４ｄとの間の押圧部２４ａに近い位置と押圧部２４ｄに近い位置には、それぞれ下方に向かって突出する突起状の係止部２３ａ，２３ｄが設けられ、押圧部２４ｂと押圧部２４ｃとの間の押圧部２４ｂに近い位置と押圧部２４ｃに近い位置には、それぞれ下方に向かって突出する突起状の係止部２３ｂ，２３ｃが設けられている。なお係止部２３ａ〜２３ｄは、それらの下端が押圧部２４ａ〜２４ｄの下端よりも下側に位置する長さに形成されている。一方、開口部２１の外周の下面側には、段部２６が形成されている。
【００１８】
第３のキートップ３０は、合成樹脂の成形品で、略平板状でその外形が第１のキートップ１０の開口部１１と略同一形状の楕円形に形成され、その上面の中央部が指などで押圧操作する操作部３２になっており、下面の操作部３２に対向する位置に下方に向かって突出する突起状の押圧部３４が設けられ、下面の押圧部３４を挟んで対向する両側には下方に向かって突出する突起状の固定部３５ａ，３５ｂが設けられている。また外周全周の側面には、外側に向かって水平に突出するつば部３３が設けられている。
【００１９】
連結部材４０は、可撓性を有する合成樹脂製フイルムからなる一体に形成された板状部材で、略円形のリング状に形成された本体部４１を備え、本体部４１の外周の略六等分した位置のうち対向する二箇所の位置に、第３のキートップ３０の固定部３５ａ，３５ｂが固定される貫通穴からなる取付固定部４８ａ，４８ｂが設けられ、残りの四箇所の位置に、それぞれ外側に向かって突出する帯状の腕部４２ａ〜４２ｄが連接されている。そして、腕部４２ａ〜４２ｄの先端に、下記する固定部材５０ａ〜５０ｄを固定する貫通穴からなる取付固定部４３ａ〜４３ｄが設けられている。また、各取付固定部４３ａ〜４３ｄから、それぞれ腕部４２ａ〜４２ｄとは異なる方向に向かって別の腕部４４ａ〜４４ｄが突出して、これら腕部４４ａ〜４４ｄの先端近傍位置に、第１のキートップ１０の固定部１５ａ〜１５ｄが固定される貫通穴からなる取付固定部４５ａ〜４５ｄが設けられている。また、各取付固定部４３ａ〜４３ｄから、腕部４２ａ〜４２ｄ及び腕部４４ａ〜４４ｄのいずれとも異なる方向に向かってさらに別の腕部４６ａ〜４６ｄが突出し、これら腕部４６ａ〜４６ｄの先端近傍位置に、第２のキートップ２０の固定部２５ａ〜２５ｄが固定される貫通穴からなる取付固定部４７ａ〜４７ｄが設けられている。腕部４４ａ〜４４ｄと腕部４６ａ〜４６ｄは、それぞれその途中位置が平面内で屈曲していて、腕部４４ａ〜４４ｄと腕部４６ａ〜４６ｄが適度な可撓性を有するようになっている。
【００２０】
固定部材５０は、いずれも同一形状の合成樹脂の成形品である４個の固定部材５０ａ〜５０ｄを備えている。各固定部材５０ａ〜５０ｄは、各々平板状の基部５１ａ〜５１ｄを備え、基部５１ａ〜５１ｄの上面に、連結部材４０の取付固定部４３ａ〜４３ｄに固定される突起状の固定部５２ａ〜５２ｄを設け、基部５１ａ〜５１ｄの下面に、下記するフレキシブル回路基板７０と取付部材８０の取付固定部７６ａ〜７６ｄ及び取付固定部８６ａ〜８６ｄに固定される各々２個ずつの突起からなる固定部５３ａ〜５３ｄを設けている。
【００２１】
フレキシブル回路基板７０は、可撓性を有する合成樹脂フイルム（ポリエチレンテレフタレートフイルム〔ＰＥＴフイルム〕等）製で、その外形が第２のキートップ２０と略同一の大きさ、形状に形成され、上面に図示しない回路パターンを形成すると共に、上面の四隅の近傍位置であって第２のキートップ２０の押圧部２４ａ〜２４ｄに対向する位置にそれぞれスイッチ７１ａ〜７１ｄを配設し、第１のキートップ１０の押圧部１４ａ〜１４ｄに対向する位置にそれぞれスイッチ７２ａ〜７２ｄを配設し、上面の中央部の第３のキートップ３０の押圧部３４に対向する位置にスイッチ７３を配設して構成されている。スイッチ７１ａ〜７１ｄ，７２ａ〜７２ｄ，７３は、いずれもフレキシブル回路基板７０の上面に印刷によって形成された図示しないスイッチパターンの上に反転板（可動接点板）７９を載置した構成である。反転板７９は、弾性金属板をドーム形状に形成したもので、反転時にその下部に配置されたスイッチパターンを導通させると共にクリック感覚を生じるものである。
【００２２】
また、フレキシブル回路基板７０の第１のキートップ１０の固定部１５ａ〜１５ｄに対向する位置には、開口部（貫通穴）からなる逃げ部７４ａ〜７４ｄが設けられ、第３のキートップ３０の固定部３５ａ，３５ｂに対向する位置には、開口部（貫通穴）からなる逃げ部７５ａ，７５ｂが設けられ、第２のキートップ２０の固定部２５ａ〜２５ｄに対向する位置には、外周（側部）から内側に向かって切り込まれた開口部（切込溝）である逃げ部７７ａ〜７７ｄが設けられている。逃げ部７４ａ〜７４ｄ、逃げ部７７ａ〜７７ｄ、逃げ部７５ａ，７５ｂは、それぞれ第１、第２、第３のキートップ１０，２０，３０が揺動あるいは上下動する際に、固定部１５ａ〜１５ｄ、固定部２５ａ〜２５ｄ、固定部３５ａ，３５ｂの先端をその内側に突入させて、これら各固定部の先端がフレキシブル回路基板７０と接触することを防ぐものである。
【００２３】
一方、フレキシブル回路基板７０の長手方向におけるスイッチ７２ａ，７２ｃの両外側には、短手方向に向かう両端面から略矩形状に切り込まれた切込部７８ａ，７８ｂが形成されている。この切込部７８ａ，７８ｂは、第２のキートップ２０の係止部２３ａ〜２３ｄと、第１のキートップ１０の押圧部１４ａ，１４ｃの両外側の外周部とに対応して形成されている。また、固定部材５０の固定部５３ａ〜５３ｄに対向する位置には、貫通穴からなる取付固定部７６ａ〜７６ｄが設けられている。さらに、フレキシブル回路基板７０の短手方向に向かう一方の端面からは、その上面に図示しない回路パターンが形成された帯状の引出部７０ａが引き出されている。
【００２４】
取付部材８０は、その外形が第２のキートップ２０と略同一形状に形成された金属製の硬質板であり、フレキシブル回路基板７０の逃げ部７４ａ〜７４ｄ、逃げ部７５ａ，７５ｂ、逃げ部７７ａ〜７７ｄに対向する位置に、それぞれ対向する逃げ部と同一の大きさ、形状の開口部（貫通穴や切込溝）からなる逃げ部８４ａ〜８４ｄ、逃げ部８５ａ，８５ｂ、逃げ部８７ａ〜８７ｄが設けられている。また、第２のキートップ２０の係止部２３ａ〜２３ｄに対向する位置には、貫通穴からなる挿通部８８ａ〜８８ｄが設けられ、固定部材５０の固定部５３ａ〜５３ｄに対向する位置には、取付固定部７６ａ〜７６ｄと同一形状の貫通穴からなる取付固定部８６ａ〜８６ｄが設けられている。また、第１のキートップ１０の押圧部１４ａ，１４ｃの両外側の外周部に対向する位置には、第１のキートップ１０が揺動する際に、その外周部が取付部材８０に接触することを防止する略円弧状の開口からなる逃げ部８１ａ，８１ｂが設けられている。そして、これら両方の逃げ部８１ａ，８１ｂの内側の側面には、舌片状の突起部８２ａ，８２ｂが設けられている。この突起部８２ａ，８２ｂは、その根元部分が略直角に折り曲げられて、取付部材８０の下面側に突出して真下方向に延伸している。一方、取付部材８０の中央の短手方向の両側には、いずれも略矩形状である開口部８３ａ，８３ｂが形成され、一方の開口部８３ａの外側（外周辺に近い側）の側面と、他方の開口部８３ｂの外側（外周辺に近い側）の側面には、舌片状の突起部８９ａ，８９ｂが設けられている。突起部８９ａ，８９ｂは、その根元部分が略直角に折り曲げられて、取付部材８０の下面側に突出して真下方向に延伸している。上記の４つの突起部８２ａ，８２ｂ，８９ａ，８９ｂは、この接着シート付き多方向押圧型スイッチ１を取り付ける下記するケース１１０に対する位置決め用の突起部である。
【００２５】
接着シート９０は、可撓性を有する不織布からなる絶縁シートの両面に接着剤層を設けて接着面９０ａ，９０ｂを形成した両面接着シートで、その外形が取付部材８０よりも若干小さい寸法の略矩形状に形成されている。そしてその所定位置には、切り抜き部が形成されている。すなわち、取付部材８０の逃げ部８１ａ及び突起部８２ａと、挿通部８８ａ，８８ｄとに対応する位置には、接着シート９０の短手方向に向かう一方の側面からこれら逃げ部８１ａと挿通部８８ａ，８８ｄとを囲む外周よりも若干大きな略矩形状に切り抜かれた切り抜き部９８ａが形成され、逃げ部８１ｂ及び突起部８２ｂと、挿通部８８ｂ，８８ｃとに対応する位置には、接着シート９０の短手方向に向かう他方の側面から逃げ部８１ｂと挿通部８８ｂ，８８ｃとを囲む外周よりも若干大きな略矩形状に切り抜かれた切り抜き部９８ｂが形成されている。
【００２６】
また、開口部８３ａと突起部８９ａに対応する位置には、開口部８３ａよりも若干大きな開口からなる切り抜き部９３ａが形成され、開口部８３ｂと突起部８９ｂに対応する位置には、開口部８３ｂよりも若干大きな開口からなる切り抜き部９３ｂが形成されている。また、取付固定部８６ａ〜８６ｄのそれぞれ一方の貫通穴に対応する位置には、それらよりも若干大きな開口である切り抜き部９６ａ〜９６ｄが形成されている。また、取付固定部８６ａの他方の貫通穴と、逃げ部８４ａと、逃げ部８５ａとに対応する位置には、これらを囲む外周よりも若干大きな開口である切り抜き部９５ａが形成され、取付固定部８６ｂの他方の貫通穴と、逃げ部８４ｂと、逃げ部８５ｂとに対応する位置には、これらを囲む外周よりも若干大きな開口である切り抜き部９５ｂが形成されている。また、取付固定部８６ｃの他方の貫通穴と、逃げ部８４ｃとに対応する位置には、これらを囲む外周よりも若干大きな開口である切り抜き部９４ｂが形成され、取付固定部８６ｄの他方と、逃げ部８４ｄとに対応する位置には、これらを囲む外周よりも若干大きな開口である切り抜き部９４ａが形成されている。さらに、逃げ部８７ａ〜８７ｄに対応する位置には、逃げ部８７ａ〜８７ｄよりも若干大きな開口（切込溝）である切り抜き部９７ａ〜９７ｄが設けられている。なお、この接着シート９０の接着面９０ａ，９０ｂには、図示しないセパレートシートが貼付されている。セパレートシートはその接着面９０ａ，９０ｂに貼付される面に剥離が容易となる加工が施された紙等の絶縁シートである。
【００２７】
抜け防止具１００は、同一形状の４個の抜け防止具１００ａ〜１００ｄを備えている。この抜け防止具１００ａ〜１００ｄは、金属製のリング形状の板状部材で、外径が挿通部８８ａ〜８８ｄ内を挿通しないようにそれらよりも大きく形成され、内径が係止部２３ａ〜２３ｄの外径よりも僅かに大きい径に形成されている。なお、抜け防止具１００ａ〜１００ｄと第２のキートップ２０の係止部２３ａ〜２３ｄとで、第２のキートップ２０の外周に指や爪などが引っ掛かり上方に引き上げられた際に係止部２３ａ〜２３ｄが挿通部８８ａ〜８８ｄから抜けてしまうことを防止する抜け防止機構が構成される。
【００２８】
次に、接着シート付き多方向押圧型スイッチ１の組み立て方法を説明する。まず、取付部材８０の下面に接着シート９０の接着面９０ａを接着して貼り付ける。図５は、取付部材８０の下面に接着シート９０を貼り付けた状態を、取付部材８０の下面側から見た斜視図である。同図に示すように、接着シート９０の外形を取付部材８０の外形に合わせると共に、接着シート９０に形成した各切り抜き部を、それぞれ対応する取付部材８０の逃げ部や開口部や突起部等の位置に合わせた状態で、接着シート９０を貼り付ける。
【００２９】
そして、この取付部材８０の上面にフレキシブル回路基板７０を載置する。このときフレキシブル回路基板７０の外周と取付部材８０の外周とを一致させて載置することで、フレキシブル回路基板７０と取付部材８０の互いに対向する位置に設けた逃げ部同士や挿通部同士や取付固定部同士の位置が一致して、これらが互いに連通する。
【００３０】
一方、操作部６０を組み立てるには、第２のキートップ２０の下面側から開口部２１内に第１のキートップ１０を挿入して配置する。これにより、つば部１３が段部２６の下側に位置すると共に、操作部１２ａ〜１２ｄが開口部２１から上方に露出する。また、第１のキートップ１０の下面側から開口部１１に第３のキートップ３０を挿入して配置する。これにより、つば部３３が段部１６の下側に位置すると共に、操作部３２が開口部１１から上方に露出する。
【００３１】
また、固定部材５０ａ〜５０ｄの固定部５２ａ〜５２ｄをそれぞれ連結部材４０の下面側から取付固定部４３ａ〜４３ｄに挿通し、連結部材４０の上面側に突出した各固定部５２ａ〜５２ｄの先端を熱カシメすることで、固定部材５０ａ〜５０ｄを連結部材４０の下面に固定する。
【００３２】
そして、この固定部材５０ａ〜５０ｄを取り付けた連結部材４０を、第１、第２、第３のキートップ１０，２０，３０の下面側に配置し、連結部材４０の上面側から第１のキートップ１０の固定部１５ａ〜１５ｄを取付固定部４５ａ〜４５ｄに挿通し、第２のキートップ２０の固定部２５ａ〜２５ｄを取付固定部４７ａ〜４７ｄに挿通し、第３のキートップ３０の固定部３５ａ，３５ｂを取付固定部４８ａ，４８ｂにそれぞれ挿通する。そして、連結部材４０の下面側に突出したこれら固定部１５ａ〜１５ｄと固定部２５ａ〜２５ｄと固定部３５ａ，３５ｂの先端を熱カシメすることで、第１、第２、第３のキートップ１０，２０，３０を連結部材４０で互いに連結する。図６は、上記の手順により、固定部材５０ａ〜５０ｄを取り付けた連結部材４０で第１、第２、第３のキートップ１０，２０，３０を連結して組み立てた操作部６０を、その下面側から見た斜視図である。
【００３３】
続いて、前記接着シート９０を貼付し上面にフレキシブル回路基板７０を載置した取付部材８０の上面側に、図６の操作部６０を配置し、固定部５３ａ〜５３ｄを、フレキシブル回路基板７０の上から取付固定部７６ａ〜７６ｄと取付固定部８６ａ〜８６ｄとに挿通させてその先端を取付部材８０の下面に突出させる。またこのとき、第２のキートップ２０の係止部２３ａ〜２３ｄが挿通部８８ａ〜８８ｄに挿通されて、その先端が取付部材８０の下面側に突出するので、この先端に抜け防止具１００ａ〜１００ｄを挿通させて取り付ける。図７は、このときの取付部材８０の下面を示す斜視図である。この状態において、取付部材８０の下面に突出して接着シート９０の切り抜き部９４ａ，９４ｂ，９５ａ，９５ｂ，９６ａ〜９６ｄから露出している固定部５３ａ〜５３ｄの先端を熱カシメして固定する。このように、取付部材８０の下面で熱カシメする固定部５３ａ〜５３ｄに対応して、接着シート９０に切り抜き部９４ａ，９４ｂ，９５ａ，９５ｂ，９６ａ〜９６ｄが形成されているので、接着シート付き多方向押圧型スイッチ１の組み立て前にあらかじめ接着シート９０を取付部材８０に貼付していても、取付部材８０の下面で固定部５３ａ〜５３ｄを熱カシメすることが可能となり、接着シート付き多方向押圧型スイッチ１を効率良く組み立てることができる。一方で、切り抜き部９８ａ，９８ｂから露出して抜け防止具１００ａ〜１００ｄの下面に突出している係止部２３ａ〜２３ｄの先端を熱カシメして、抜け防止具１００ａ〜１００ｄが係止部２３ａ〜２３ｄから抜け落ちないように固定する。以上により、接着シート付き多方向押圧型スイッチ１の組み立てが完了する。
【００３４】
図８、図９は、組み立てた接着シート付き多方向押圧型スイッチ１をそれぞれ上方、下方から見た斜視図である。また、図１０は、図８、図９におけるＡ−Ａ部分の概略断面図である。この接着シート付き多方向押圧型スイッチ１は、操作部１２ａ〜１２ｄを設けた四方向に揺動可能に設置された第１のキートップ１０と、第１のキートップ１０の外側を囲む位置に配置され操作部２２ａ〜２２ｄを設けた四方向に揺動可能に設置された第２のキートップ２０と、第１のキートップ１０に設けた開口部１１に上下動可能に設置された第３のキートップ３０と、第１のキートップ１０の押圧部１４ａ〜１４ｄの真下位置に設置したスイッチ７２ａ〜７２ｄと、第２のキートップ２０の押圧部２４ａ〜２４ｄの真下位置に設置したスイッチ７１ａ〜７１ｄと、第３のキートップ３０の押圧部３４の真下位置に設置したスイッチ７３とを備えて構成されている。
【００３５】
また、この接着シート付き多方向押圧型スイッチ１の可動部品である、連結部材４０で連結された第１、第２、第３のキートップ１０，２０，３０は、連結部材４０の可撓性により、それぞれ独立して前記の各方向に揺動あるいは上下動可能になっている。そして、第１、第２、第３のキートップ１０，２０，３０の下面側に、その上面にスイッチ７１ａ〜７１ｄ，スイッチ７２ａ〜７２ｄ，スイッチ７３を配置してなるフレキシブル回路基板７０と、下面に接着シート９０を取り付けた取付部材８０とが設置され、連結部材４０が、固定部材５０ａ〜５０ｄによって取付部材８０に固定されている。なお、固定部材５０ａ〜５０ｄは、第１、第２、第３キートップ１０，２０，３０の下面に対向する位置、詳細には第１のキートップ１０の下面に設けた逃げ部１７に対向する位置に配置されている。一方、図９に示すように、取付部材８０に設けた位置決め用の突起部８２ａ，８２ｂ，８９ａ，８９ｂが、接着シート９０の切り抜き部９８ａ，９８ｂ，９３ａ，９３ｂに露出して接着シート９０の下面側に突出し、取付部材８０の逃げ部８５ａ，８５ｂは、接着シート９０の切り抜き部９５ａ，９５ｂに露出している。
【００３６】
取付部材８０の下面に設けた位置決め用の突起部８２ａ，８２ｂ，８９ａ，８９ｂや、取付部材８０の下面に突出する熱カシメされた固定部５３ａ〜５３ｄや、取付部材８０に設けた開口部からなる逃げ部８１ａ，８１ｂ，８４ａ〜８４ｄ，８５ａ，８５ｂ，８７ａ〜８７ｄをそれぞれ露出させるように、接着シート９０に、切り抜き部９３ａ，９３ｂ，９４ａ，９４ｂ，９５ａ，９５ｂ，９６ａ〜９６ｄ，９７ａ〜９７ｄ，９８ａ，９８ｂを形成したので、接着シート９０を、取付部材８０の突起部などを避けてその下面に面状に密着させて貼付でき、接着面９０ａ，９０ｂを平坦にできるので、接着シート付き多方向押圧型スイッチ１の下記するケース１１０への接着性を良好にすることができる。
【００３７】
次に、図１１を用いて、この接着シート付き多方向押圧型スイッチ１をケース１１０に取り付ける取付構造を説明する。同図（ａ）において、接着シート付き多方向押圧型スイッチ１を取り付けるケース１１０には、接着シート付き多方向押圧型スイッチ１の外形よりも僅かに大きな長方形状で接着シート付き多方向押圧型スイッチ１を収納可能な深さに形成された収納凹部１１１が設けられ、その底面が取付面１１１ａになっている。さらに取付面１１１ａには、取付部材８０の突起部８２ａ，８２ｂに対応する位置に、これらを係合させる溝状の被係合部１１２ａ，１１２ｂが形成されると共に、図示は省略するが、取付部材８０の突起部８９ａ，８９ｂに対応する位置にも、これらを係合させる溝状の被係合部が形成されている。また、収納凹部１１１の側面には、接着シート付き多方向押圧型スイッチ１の引出部７０ａを収納する引出部収納溝１１３が設けられている。なお、図１１では収納凹部１１１の底面の取付面１１１ａは平面状になっているが、取付面１１１ａは曲面状に形成しても良い。その場合は、取付部材８０も、この取付面１１１ａに面状に密着させて取り付けることができるようにそれに合わせた曲面状に形成する。
【００３８】
このケース１１０に接着シート付き多方向押圧型スイッチ１を取り付けるには、まず、接着シート付き多方向押圧型スイッチ１の引出部７０ａを引出部収納溝１１３内に挿通させる。そして、接着シート９０の接着面９０ｂに貼付された図示しないセパレートシートを剥離して、接着シート付き多方向押圧型スイッチ１を収納凹部１１１内に配置する。このとき、接着シート９０の下面に突出する突起部８２ａ，８２ｂを対応する被係合部１１２ａ，１１２ｂに係合させると共に、突起部８９ａ，８９ｂ（図９参照）を対応する図示しない被係合部に係合させることで、接着シート付き多方向押圧型スイッチ１の収納凹部１１１に対する位置合わせを行う。その状態で、同図（ｂ）に示すように、接着面９０ｂを取付面１１１ａに面状に密着させて接着する。なおこのとき、接着シート９０の接着面９０ｂよりも下側に突出している係止部２３ａ〜２３ｄの先端は、収納凹部１１１の取付面１１１ａに形成された図示しない凹部内に配置されるようになっている。
【００３９】
取付部材８０に設けた位置決め用の突起部８２ａ，８２ｂ，８９ａ，８９ｂを、切り抜き部９８ａ，９８ｂ，９３ａ，９３ｂから接着シート９０の下面側に突出させたことにより、上記のように突起部８２ａ，８２ｂ，８９ａ，８９ｂで、ケース１１０に対する位置決めをすることができる。したがって、簡単な工程で、接着シート付き多方向押圧型スイッチ１をケース１１０に対して正確な位置に合わせて取り付けることが可能となる。さらに、取付部材８０の下面には接着シート９０を接着しているので、この正確に位置合わせをした接着シート付き多方向押圧型スイッチ１を、接着シート９０によってケース１１０に容易且つ確実に接着して取り付けることができる。
【００４０】
次に、この接着シート付き多方向押圧型スイッチ１の動作を説明する。まず、第１のキートップ１０の操作部１２ａ〜１２ｄのいずれかを押圧操作すると、連結部材４０の腕部４４ａ〜４４ｄが撓み、第１のキートップ１０が押圧された方向に揺動して下降し、その方向の押圧部１４ａ〜１４ｄが真下の反転板７９を押圧して反転させ、スイッチ７２ａ〜７２ｄをオンする。このとき、連結部材４０の上面側に突出している固定部５２ａ〜５２ｄは、第１のキートップ１０の逃げ部１７に対向しているので、この逃げ部１７に突入して第１のキートップ１０の下面に衝突せず、一方、第１のキートップ１０に設けた固定部１５ａ〜１５ｄは、フレキシブル回路基板７０と取付部材８０の逃げ部７４ａ〜７４ｄ、８４ａ〜８４ｄに対向しているため、この逃げ部７４ａ〜７４ｄ、８４ａ〜８４ｄに突入してフレキシブル回路基板７０や取付部材８０に衝突しない。また、接着シート９０にも逃げ部８４ａ〜８４ｄに対応する切り抜き部９４ａ〜９４ｄが設けられているので、固定部１５ａ〜１５ｄが接着シート９０に接着してその動作が阻害されるおそれもない。一方、操作部１２ａ〜１２ｄの押圧を解除すると、反転板７９の弾性復元力により第１のキートップ１０が元の位置に復帰して、腕部４４ａ〜４４ｄの撓みが元に戻り、スイッチ７２ａ〜７２ｄがオフする。
【００４１】
また、第２のキートップ２０のいずれかの操作部２２ａ〜２２ｄを押圧操作すると、連結部材４０の腕部４６ａ〜４６ｄが撓み、第２のキートップ２０が押圧された方向に揺動して下降し、その方向の押圧部２４ａ〜２４ｄが真下の反転板７９を押圧して反転させ、スイッチ７１ａ〜７１ｄをオンする。このとき、第２のキートップ２０の固定部２５ａ〜２５ｄの先端は、フレキシブル回路基板７０と取付部材８０の逃げ部７７ａ〜７７ｄ及び逃げ部８７ａ〜８７ｄに対向しているため、これら逃げ部７７ａ〜７７ｄ及び逃げ部８７ａ〜８７ｄに突入してフレキシブル回路基板７０や取付部材８０に衝突しない。また、接着シート９０にも逃げ部８７ａ〜８７ｄに対応する切り抜き部９７ａ〜９７ｄが設けられているので、固定部２５ａ〜２５ｄが接着シート９０に接着してその動作が阻害されるおそれもない。一方、操作部２２ａ〜２２ｄの押圧を解除すると、反転板７９の弾性復元力により第２のキートップ２０が元の位置に復帰して、腕部４６ａ〜４６ｄの撓みが元に戻り、スイッチ７１ａ〜７１ｄがオフする。
【００４２】
また、第３のキートップ３０の操作部３２を押圧操作すると、連結部材４０の腕部４２ａ〜４２ｄが撓み、第３のキートップ３０が真下方向に下降し、押圧部３４が真下の反転板７９を押圧して反転させ、スイッチ７３をオンする。このとき、第３のキートップ３０に設けた固定部３５ａ，３５ｂは、フレキシブル回路基板７０と取付部材８０に設けた逃げ部７５ａ，７５ｂ及び逃げ部８５ａ，８５ｂに対向しているため、これら逃げ部７５ａ，７５ｂ及び逃げ部８５ａ，８５ｂに突入してフレキシブル回路基板７０や取付部材８０に衝突しない。また、接着シート９０にも逃げ部８５ａ，８５ｂに対応する切り抜き部９５ａ，９５ｂが設けられているので、固定部３５ａ，３５ｂが接着シート９０に接着してその動作が阻害されるおそれもない。一方、操作部３２の押圧を解除すると、反転板７９の弾性復元力により第３のキートップ３０が元の位置に復帰して、腕部４２ａ〜４２ｄの撓みが元に戻り、スイッチ７３がオフする。
【００４３】
第１のキートップ１０やフレキシブル回路基板７０や取付部材８０に、凹部や貫通穴や切込溝からなる逃げ部を設け、さらに、これら逃げ部に対応する接着シート９０の所定位置には切り抜き部を設けたので、各キートップの揺動及び上下動の際に、各固定部が第１のキートップ１０やフレキシブル回路基板７０や取付部材８０や接着シート９０に接触するおそれがなく、各キートップと連結部材４０と取付部材８０を互いに接近させた状態で設置できるので、その分接着シート付き多方向押圧型スイッチ１の薄型化を図ることができる。
【００４４】
また、第２のキートップ２０の係止部２３ａ〜２３ｄに抜け防止具１００ａ〜１００ｄを取り付けて抜け防止機構を構成したことにより、係止部２３ａ〜２３ｄが取付部材８０の挿通部８８ａ〜８８ｄから上方に抜けないように構成したので、万一、第２のキートップ２０の外周に指や爪などが引っ掛かって第２のキートップ２０が上方に持ち上げられた場合でも、第２のキートップ２０が引き上げられて取付部材８０から大きく離されてしまうことを防げ、連結部材４０が伸びてしまったり固定部材５０による固定が外れてしまったりするおそれがない。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態における接着シート９０に形成した切り抜き部の形状や大きさは一例である。すなわち、接着シート９０に形成する各切り抜き部は、本実施形態の切り抜き部９６ａ〜９６ｄのように、対応する取付部材８０の逃げ部や固定部（突起部）ごとに別個に形成したものでも良いし、あるいは、本実施形態の切り抜き部９５ａ，９５ｂのように、隣り合う複数の逃げ部や突起部をまとめて露出させる形状や大きさに形成したものでもよい。なおこの場合、いずれの逃げ部や突起部をまとめて露出させるかは、適宜に選択することができる。
【００４６】
また、上記実施形態では、取付部材８０の下面側に突出した固定部の例として、先端が熱カシメされる固定部５３ａ〜５３ｄを示したが、固定部としては他にも、例えば、取付部材８０の下面側に突出するネジの頭部を締めることで取付部材８０の上面に構成部品を固定する固定部や、構成部品に設けた係合爪を取付部材８０にスナップイン係合させてその先端を取付部材８０の下面側に突出させた状態で固定する固定部などでも良い。
【００４７】
また、上記実施形態では、接着シート付き電子部品の一例として接着シート付き多方向押圧型スイッチ１を示したが、本発明の接着シート付き電子部品としては、上面に構成部品を配置した取付部材８０の下面に接着シート９０を貼付した構成であれば、電子部品の種類は上記実施形態には限定されず、他の種類のスイッチ（例えば、回転式スイッチやスライド式スイッチ）や、照明部品など様々な電子部品に適用が可能である。
【図面の簡単な説明】
【００４８】
【図１】本発明の一実施形態にかかる接着シート付き多方向押圧型スイッチ１の上側の構成部品を上方から見た分解斜視図である。
【図２】接着シート付き多方向押圧型スイッチ１の下側の構成部品を上方から見た分解斜視図である。
【図３】接着シート付き多方向押圧型スイッチ１の上側の構成部品を下方から見た分解斜視図である。
【図４】接着シート付き多方向押圧型スイッチ１の下側の構成部品を下方から見た分解斜視図である。
【図５】接着シート９０を貼付した取付部材８０を下面側から見た斜視図である。
【図６】第１、第２、第３のキートップ１０，２０，３０を連結部材４０で連結してなる操作部６０を下面側から見た斜視図である。
【図７】固定部５３ａ〜５３ｄを熱カシメする前の状態における取付部材８０の下面側の斜視図である。
【図８】組み立てた接着シート付き多方向押圧型スイッチ１を上面側から見た斜視図である。
【図９】組み立てた接着シート付き多方向押圧型スイッチ１を下面側から見た斜視図である。
【図１０】図８、図９のＡ−Ａ部分の概略断面図である。
【図１１】接着シート付き多方向押圧型スイッチ１をケース１１０に取り付ける取付構造を説明するための図である。
【符号の説明】
【００４９】
１                      接着シート付き多方向押圧型スイッチ
１０                    第１のキートップ
２０                    第２のキートップ
３０                    第３のキートップ
４０                    連結部材
５０（５０ａ〜５０ｄ）  固定部材
５３ａ〜５３ｄ          固定部
６０                    操作部
７０                    フレキシブル回路基板
７４ａ〜７４ｄ          逃げ部
７５ａ，７５ｂ          逃げ部
７６ａ〜７６ｄ          取付固定部
７７ａ〜７７ｄ          逃げ部
７８ａ，７８ｂ          切込部
８０                    取付部材
８１ａ，８１ｂ          逃げ部
８２ａ，８２ｂ          （位置決め用）突起部
８３ａ，８３ｂ          開口部
８４ａ〜８４ｄ          逃げ部
８５ａ，８５ｂ          逃げ部
８６ａ〜８６ｄ          取付固定部
８７ａ〜８７ｄ          逃げ部
８８ａ〜８８ｄ          挿通部
８９ａ，８９ｂ          （位置決め用）突起部
９０                    接着シート
９０ａ，９０ｂ          接着面
９３ａ，９３ｂ          切り抜き部
９４ａ，９４ｂ          切り抜き部
９５ａ，９５ｂ          切り抜き部
９６ａ〜９６ｄ          切り抜き部
９７ａ〜９７ｄ          切り抜き部
９８ａ，９８ｂ          切り抜き部
１００                  抜け防止具
１１０                  ケース
１１１                  収納凹部
１１１ａ                取付面
１１２ａ，１１２ｂ      被係合部
【図１】
2007141500.tif 000003
【図２】
2007141500.tif 000004
【図３】
2007141500.tif 000005
【図４】
2007141500.tif 000006
【図５】
2007141500.tif 000007
【図６】
2007141500.tif 000008
【図７】
2007141500.tif 000009
【図８】
2007141500.tif 000010
【図９】
2007141500.tif 000011
【図１０】
2007141500.tif 000012
【図１１】
2007141500.tif 000013